(57)【特許請求の範囲】
【請求項１】
電気掃除機本体と、前記電気掃除機本体の下部に配置され、水平方向に渦巻き状に電源コードを巻き取る電源コード巻取り装置と、前記電源コード巻取り装置の下側に配置され、前記電源コード巻取り装置の回転中心と同一中心で３６０度回転自在に設けた回転バンパーとを備え、前記回転バンパーは、外周を形成する円筒部と、前記円筒部の上端から内側に延出される円盤部と、から構成されており、前記掃除機本体には、前記円筒部の内側面を内側から回動自在に保持するとともに前記回転バンパーと同一方向に回転可能なローラー体と、前記円盤部の内側面を下部から保持する球体と、が交互に配置されており、前記回転バンパーは、前記電源コードのプラグの収納位置よりも下側で回転するように配置されていることを特徴とした電気掃除機。
【発明の詳細な説明】
【技術分野】
【０００１】
本発明は、本体の外周に可動可能なバンパーを有する電気掃除機に関するものである。
【背景技術】
【０００２】
従来のこの種の電気掃除機としては、本体に対して９０度程度回動するものがあったり、本体のコーナー部分に複数個のローラーを突出させたものがあった（例えば、特許文献１，２参照）。
【特許文献１】特許第２９０７８９４号公報
【特許文献２】実開昭６３−１０３８５２号公報
【発明の開示】
【発明が解決しようとする課題】
【０００３】
しかしながら、上記のような電気掃除機の構成では、回転角度に規制があるタイプでは、壁際を走行するような場合にバンパーで制動力が加わってしまったり、複数のローラー構成のタイプでは、ローラー間に障害物が接触した場合には回避できないという課題があった。
【課題を解決するための手段】
【０００４】
上記従来の課題を解決するために、本発明の電気掃除機は、電気掃除機本体と、前記電気掃除機本体の下部に配置され、水平方向に渦巻き状に電源コードを巻き取る電源コード巻取り装置と、前記電源コード巻取り装置の下側に配置され、前記電源コード巻取り装置の回転中心と同一中心で３６０度回転自在に設けた回転バンパーとを備え、前記回転バンパーは、外周を形成する円筒部と、前記円筒部の上端から内側に延出される円盤部と、から構成されており、前記掃除機本体には、前記円筒部の内側面を内側から回動自在に保持するとともに前記回転バンパーと同一方向に回転可能なローラー体と、前記円盤部の内側面を下部から保持する球体と、が交互に配置されており、前記回転バンパーは、前記電源コードのプラグの収納位置よりも下側で回転するように配置されていることにより、円形形状の本体に機能部品である電源コード巻取り装置と、使い勝手の良い３６０度回転バンパーを効率よく本体に配置することで、小型でしかも障害物回避性に優れた電気掃除機を提供する事ができるものである。
【発明の効果】
【０００５】
本発明の電気掃除機は、回転バンパーを円形形状の本体と組み合わせることによって、本体の外径を最小限に抑えることができ、しかも、障害物回避性に優れたものとすることができる。
【発明を実施するための最良の形態】
【０００６】
第１の発明は、電気掃除機本体と、前記電気掃除機本体の下部に配置され、水平方向に渦巻き状に電源コードを巻き取る電源コード巻取り装置と、前記電源コード巻取り装置の下側に配置され、前記電源コード巻取り装置の回転中心と同一中心で３６０度回転自在に設けた回転バンパーとを備え、前記回転バンパーは、外周を形成する円筒部と、前記円筒部の上端から内側に延出される円盤部と、から構成されており、前記掃除機本体には、前記円筒部の内側面を内側から回動自在に保持するとともに前記回転バンパーと同一方向に回転可能なローラー体と、前記円盤部の内側面を下部から保持する球体と、が交互に配置されており、前記回転バンパーは、前記電源コードのプラグの収納位置よりも下側で回転するように配置されていることにより、円形形状の本体に機能部品である電源コード巻取り装置と、使い勝手の良い３６０度回転バンパーを効率よく本体に配置することで、小型でしかも障害物回避性に優れた電気掃除機を提供する事ができるものである。
【０００７】
また、回転バンパーの断面形状をＬ字型とし、天面内側を球体で内側面を回転バンパーと同一方向に回転可能なローラー体とで受ける構成としたことで回転バンパーの機能性と組み立て作業性の向上を図れるものである。
【０００８】
以下、本発明の実施の形態について、図面を参照しながら説明する。なお、この実施の形態によって本発明が限定されるものではない。
【０００９】
（実施の形態１）
本発明の第１の実施の形態における３６０度回転バンパーを搭載した電気掃除機について、図１〜図３を用いて説明する。
【００１０】
図１は、本実施の形態における電気掃除機本体１の平面図および側面図である。図２は、同電気掃除機の中央断面図である。図３は、本発明の特徴となる回転バンパー２の平面
図および側面図である。
【００１１】
図１、２において、電気掃除機本体１は略円形のものであり、円形形状をした本体下部には走行車輪と電源コード巻取り装置４が設けられている。走行車輪は、電気掃除機本体１の中央に進行方向へ回転自在なセンター車輪５と、このセンター車輪５を中心に放射状に配置された各々は３６０度回動自在な５つのキャスター６で構成されている。さらにセンター車輪５においては下方（走行面方向）にバネ７で付勢されている。
【００１２】
走行車輪の上部には電源コード巻取り装置４が配置され、電源プラグ８が本体後部に配置されている。
【００１３】
さらに、電源コード巻取り装置４の上部（本体上部）には、前方に塵埃を収容する集塵袋９を備えた集塵室１０を、後方には塵埃を吸引するための電動送風機１１を配置している。集塵室１０は開閉自在な集塵蓋１２で覆われている。
【００１４】
上記構成による動作は、電動送風機１１によって吸引された塵埃は集塵室１０内の集塵袋９に収容される。集塵袋９は集塵蓋１２を開け容易に交換できる。また、本体走行については、本体中央に配置されたセンター車輪５にはバネ７の付勢効果により床面の凹凸に追従する機能がある。また、床面に対して確実に設置させることとあわせて、進行方向にのみ回転させることで直進安定性を確保することができたり、センター車輪５を回転軸として、その場で３６０度回転できたりと非常にスムーズに走行することが可能である。
【００１５】
次に電源コード巻取り装置４の構成について図２を用いて説明する。
【００１６】
電源コード巻取り装置４は、有底筒状のケース本体１３と電気掃除機本体１の開口面に嵌合されるケースカバー１４からなるケース内に、回転リール１５が回転可能に、かつ一方向に回転付勢された状態で配置されている。回転リール１５の回転付勢は、回転リール１５の下側に配置されたゼンマイバネ１６にて行っている。また、回転リール１５の上面には回転面１７に対し垂直方向に突出した制動面１８を回転リール１５と一体で形成しており、この制動面１８は他の部品と接触しないように一定の隙間を設けてケースカバー１４にて覆われている。ただし、制動面１８の一部はケースカバー１４より露出し、制動手段１９によって制動面１８の回転規制を行うことができる。制動手段１９としては、制動面１８に接触し制動面１８の回転を抑えるゴムローラー２０とゴムローラー２０を制動面１８から遠ざけるための回動自在な制動レバー２１と、制動レバー２１を介してゴムローラー２０を制動面１８に接触する方向に付勢する制動バネ２２で構成している。つまり、制動レバー２１を動かしてゴムローラー２０を制動面１８から遠ざけると、ケース本体１３とケースカバー１４とで挟持された回転リール１５はゼンマイバネ１６の付勢力によって電源コードを巻き取っていく。電源コードを途中で止めたいときには制動レバー２１をはなし、ゴムローラー２０を制動面１８に接触させることで回転リール１５を止めることができるというものである。
【００１７】
次に本発明の特徴である回転バンパー２の構成について図３を用いて説明する。回転バンパー２は電源コード巻取り装置４の中心軸とこの中心軸と同一中心に３６０度回転自在に配置している。そして、図３に示すように外周を形成する円筒部２ａと、円筒部２ａ上端から内側に延出される円盤部２ｂから構成することで断面形状をＬ字型とし、天面内側を球体２３で受け、内側面を回転バンパー２と同一方向に回転可能なローラー体２４で受ける構成としている。
【００１８】
球体２３とローラー体２４は本体外周にそれぞれ５個、交互に配置している。球体２３については組み立て時に落下しないように箱状のリブ２５の中に収めており，ローラー体
２４については本体側に設けた軸２６に挿入している。この構成をとることにより、回転バンパー２は３６０度スムーズに回転できる機能性と、球体２３組み立て時の落下防止ができ組み立て作業性の向上を図ることができるのである。
【００１９】
また、回転バンパー２を電源コード巻取り装置４の下側（電源プラグの下側）に配置することにより、電源プラグの引き出し性考慮するとともに、電源コード巻取り時の電源コードの被服とバンパー（本体外郭）部分との接触抵抗を和らげ、電源コードの巻取り負荷を低減させ、スムーズな電源コードの巻取りを図ることができるものである。
【産業上の利用可能性】
【００２０】
以上のように、本発明にかかる電気掃除機の回転バンパーの断面形状をＬ字型とし、天面内側を球体で内側面を回転バンパーと同一方向に回転可能なローラー体とで受ける構成としたことで３６０度スムーズに回転できる回転バンパーを実現し、使い勝手のよい掃除機を提供することができるものである。
【図面の簡単な説明】
【００２１】
【図１】本発明の実施の形態における電気掃除機の平面図および側面図
【図２】同電気掃除機の中央断面図
【図３】（ａ）同電気掃除機の回転バンパーの平面部分断面図（ｂ）同電気掃除機の回転バンパーの側面部分断面図
【符号の説明】
【００２２】
１    電気掃除機本体
２    回転バンパー
２ａ  円筒部
２ｂ  円盤部
４    電源コード巻取り装置
２３  球体
２４  ローラー体
【図１】
0004872904.tif 000002
【図２】
0004872904.tif 000003
【図３】
0004872904.tif 000004